(57)【要約】【課題】  本発明は、プライスカードなどの商品情報カードを簡単且つ美麗に備え付けることができる商品展示上の美麗さ及び取扱性に優れた新規な商品展示台を提供することを目的とする。【解決手段】  商品を展示するための商品展示台であって、該商品展示台は、商品を直接又は間接的に載せるための基台及び商品情報カードを保持するためのカード保持部材からなり、特に、前記カード保持部材が、前記基台に対し着脱自在となることを特徴とする商品展示台。【選択図】  図１
2007007002.tif 000002
【特許請求の範囲】
【請求項１】
商品を展示するための商品展示台であって、該商品展示台は、商品を直接又は間接的に載せるための基台及び商品情報カードを保持するためのカード保持部材からなり、特に、前記カード保持部材が、前記基台に対し着脱自在となることを特徴とする商品展示台。
【請求項２】
カード保持部材がケース状ないし枠状であり、該ケースないし枠内に商品情報カードを保持する請求項１に記載の商品展示台。
【請求項３】
カード保持部材に設けた雄部及び／又は雌部が、基台に設けられた雌部及び／又は雄部に嵌合されることにより、カード保持部材が基台に略係止される請求項１又は２に記載の商品展示台。
【請求項４】
雄部の端面の形状が、円形以外の形状である請求項３に記載の商品展示台。
【請求項５】
磁力により、カード保持部材が基台に略係止される請求項１ないし４のいずれか１項に記載の商品展示台。
【請求項６】
カード保持部材が、盗難防止用タグの役割を兼ねる請求項１ないし５のいずれか１項に記載の商品展示台。
【発明の詳細な説明】
【技術分野】
【０００１】
本発明は、商品を展示するための商品展示台に関し、更に詳しくは、プライスカードなどの商品情報カードを簡単且つ美麗に備え付けることができる商品展示台に関する。
【背景技術】
【０００２】
一般に、指輪、イヤリング、ピアス、ネックレス、ブローチ、時計その他の装身具や貴金属と称される商品などを展示販売するにあたっては、通常、前記商品を商品展示台に載せると共にプライスカードなどの商品情報カードが付された状態で商品ケースに収納される。
【０００３】
ここで、前記商品情報カードは、商品の値段や品質、メーカー、商標などを顧客に開示したり、販売店側における商品管理の役に立てたりするものであり、当該商品に対して、紐、糸、鎖、リボンなどの紐状体を介して結び付けられて、当該商品と並置されるのが一般的である。
【０００４】
しかしながら、前記商品情報カードは紙などの比較的薄いシート状のものがほとんどであり、そのため、軽い振動や弱い風などによっても、簡単に、商品と並置した位置から移動したり、裏返ったりしてしまい、商品展示上の美麗さを損なうことが往々にしてある。
【０００５】
特に、指輪、イヤリング、ピアス、ネックレス、ブローチ、時計その他の装身具や貴金属と称される商品を展示販売するにあたっては、商品展示上の美麗さは、顧客をひきつけるための大きな宣伝効果を持つ非常に重要な要素であり、看過できる問題ではない。
【０００６】
そのため、商品展示台に切込みなどの挟持部を設け、該挟持部をもって商品情報カードの一部を挟持する商品展示台が提案されている（例えば、特許文献１〜６。）。
【０００７】
【特許文献１】実開平５−３１６２２号公報
【特許文献２】実開平６−２６６２８号公報
【特許文献３】特開平８−２１５００６号公報
【特許文献４】特開２００１−１３７０９４号公報
【特許文献５】特開２００２−５６４７１号公報
【特許文献６】特開２００２−７８５８５号公報
【発明の開示】
【発明が解決しようとする課題】
【０００８】
しかしながら、前述のように、商品情報カードは紙製のものがほとんどであることから、繰り返し挟持部に挟持させることによる折れ曲がりや破れが生じて、やはり商品展示上の美麗さを損なうことがある。
【０００９】
又、挟持部をもって商品情報カードの一部を挟持する商品展示台においては、該商品情報カードが商品展示台に対して曲がりなく、真っ直ぐに取り付けられていないと商品展示上の美麗さを損なうが、該商品情報カードを商品展示台に対して曲がりなく、真っ直ぐに取り付けるのは非常に慎重を要する作業であった。
【００１０】
更に、値引きなど、商品情報に変化が生じた場合にあっては、糸などの紐状体を介して商品に結び付けられた商品情報カードを外し、新たな商品情報を付した商品情報カードに付け替えるといった煩雑な作業が必要になる。
【００１１】
そこで、本発明者は、このような問題を解決すべく鋭意検討を重ねた結果、商品を展示するための商品展示台であって、該商品展示台は、商品を直接又は間接的に載せるための基台及び商品情報カードを保持するためのカード保持部材からなり、特に、前記カード保持部材が、前記基台に対し着脱自在となることを特徴とする本発明の商品展示台を完成するに至ったのである。
【００１２】
即ち、本発明者は、この種商品展示台につき、商品を直接又は間接的に載せるための「基台」及び商品情報カードを保持するための「カード保持部材」とで構成し、特に、前記カード保持部材が、前記基台に対し着脱自在となるようにすれば、商品情報カードがカード保持部材により保護されて、折れ曲がりや破れが生じ難くなり、又、商品情報カードの取り付けが簡便且つ美麗になり、しかも、新たな商品情報カードへの付け替え作業も容易になるとの知見を得たのである。
【００１３】
本発明は、上記知見に基づき完成されたものであり、商品展示上の美麗さ及び取扱性に優れた新規な商品展示台を提供することを目的とする。
【課題を解決するための手段】
【００１４】
以上の課題を解決する手段である本発明の商品展示台は、商品を展示するための商品展示台であって、該商品展示台は、商品を直接又は間接的に載せるための基台及び商品情報カードを保持するためのカード保持部材からなり、特に、前記カード保持部材が、前記基台に対し着脱自在となることを特徴とする。
以下、本発明の商品展示台について詳細に説明する。
【００１５】
本発明の商品展示台は、商品を展示するための商品展示台であって、該商品展示台は、「基台」及び「カード保持部材」からなる。
【００１６】
前記「基台」は、商品を直接又は間接的に載せるためのものであり、その形状及び素材については、商品の種類、大きさ、形状及び求められるデザインなどに応じて適宜選択・決定されるものであることから、特に限定されるものではなく、即ち、本発明の商品展示台において、基台の素材及び全体形状については、発明の本質的部分ではなく、金属、合成樹脂、木、紙、布、ガラスなどの素材から１種ないし複数を適宜選択して任意のデザイン・形状に形成すれば良いのである。
【００１７】
又、「商品を直接又は間接的に載せる」とは、商品を基台上に直接置いたり、商品の種類や大きさ、形状などに応じて、基台上に形成した切り込みや突起、挟持部などに商品を係止したり、その他の部材を適宜介在させて商品を載せることをいうのであり、即ち、本発明の商品展示台において、基台に商品を載せる手段については、発明の本質的部分ではなく、任意の手段を適宜選択して商品を基台に載せればいいのである。
【００１８】
なお、本発明の商品展示台に載せられる商品の好適な例としては、指輪、イヤリング、ピアス、ネックレス、ブローチ、時計その他の装身具や貴金属として一般に称される商品を挙げることができるが、本発明においては、これらの商品に積極的に限定する必要はなく、その他一般的に展示販売される商品も好適に載せることができる。
【００１９】
一方、前記「カード保持部材」は、商品情報カードを保持するためのものであり、保持する商品情報カードの大きさ、形状及び求められるデザインなどに応じて適宜その形状及び素材が選択・決定されるものであり、特に限定されるものではなく、即ち、本発明の商品展示台において、カード保持部材の素材及び全体形状については、発明の本質的部分ではなく、金属、合成樹脂、木、紙、布、ガラスなどの素材から１種ないし複数を適宜選択して任意のデザイン・形状に形成すれば良いのである。
【００２０】
なお、前記「商品情報カード」とは、商品の値段や品質、メーカー、商標など記したり、販売店側における商品管理の役に立てるためのバーコードやＩＣチップなどが付されたりしたカード状のもののことをいい、具体的な例としては、プライスカード（値札）などを挙げることができる。
【００２１】
そして、本発明の商品展示台は、特に、前記カード保持部材が、前記基台に対し着脱自在となるようにした点に最も大きな特徴を有する。
【００２２】
即ち、本発明の商品展示台においては、前記カード保持部材が、商品情報カードを保持しているから、前記カード保持部材により商品情報カードが保護されて、折れ曲がりや破れが生じ難くなるのである。
【００２３】
ここで、カード保持部材に商品情報カードを保持する手段としては、特に限定されるものではなく、例えば、接着剤、粘着剤等を用いて、カード保持部材の表面に商品情報カードを接着、粘着させても良いのであるが、本発明においては、新たな商品情報カードへの付け替え作業を容易にするために、カード保持部材をケース状ないし枠状として、このケースないし枠内に商品情報カードを挿入したり、嵌め込んだりして保持することが好ましい。
【００２４】
又、基台に対してカード保持部材が着脱自在になるようにする手段についても、特に限定されるものではないが、例えば、カード保持部材（又は基台）に対して突起などの係止部を１ないし複数箇所設けると共に、基台（又はカード保持部材）に対して前記突起を嵌合ないしは挟持し得る係合部を１ないし複数箇所設ける手段などを挙げることができるが、本発明においては、基台とカード保持部材とが簡単に着脱できることが好ましく、基台とカード保持部材との間に強力な係止力は必ずしも要求されないことから、カード保持部材に雄部及び／又は雌部を設けると共に基台に雌部及び／又は雄部を設け、前記雄部と前記雌部が嵌合されることにより、カード保持部材が基台に略係止されるようにすることが好ましい。
【００２５】
なお、前記雄部と雌部の形状としては、雄部と雌部とが勘合し得る形状であれば特に限定されるものではないが、基台にカード保持部材を速やかに取り付けることができ、取り付けた際にカード保持部材が常に適当な位置で略係止されるようにすべく、雄部の端面を円以外のもの、即ち、三角形や四角形などの幾何学図形とすることが好ましく、中でも、長方形や楕円形或いは台形などの縦横の長さが異なったり、上下の形状が異なったりするようないびつな形状のものとすることが好ましい。
【００２６】
又、基台に対してカード保持部材が着脱自在になるようにする他の手段としては、例えば、基台（又はカード保持部材）に磁石を内蔵すると共に、カード保持部材（又は基台）の一部又は全部を鉄などの磁着力のある素材で構成し、磁力により、カード保持部材が基台に略係止されるようにする磁力を用いた手段を挙げることができ、この磁力を用いた手段は、上述の手段と併せて、又は単独で用いることができるのである。
【００２７】
ところで、本発明の商品展示台においては、商品を、紐、糸、鎖、リボンなどの紐状体を介してカード保持部材に結び付けると共に基台にカード保持部材を取り付け、更に当該商品を前記基台に直接ないし間接的に載せた状態で、展示されるのが一般的である。
【００２８】
従って、商品が万引き等の盗難にあう場合にあっては、当該商品にカード保持部材が結び付けられたままの状態で持ち出されることが多いと考えられる。
【００２９】
そこで、本発明においては、カード保持部材が、盗難防止用タグの役割を兼ねるようにすることが好ましい。
【００３０】
ここで、カード保持部材に対し、盗難防止用タグの役割を兼ねるようにする方法としては、特に限定されるものではないが、具体的に例えば、カード保持部材に特殊な磁石を内蔵したり、電波を発信したりするようにし、販売店の出口近傍において、磁力線や電波を検知する検知器を備え付ける手段などを挙げることができる。
【００３１】
このように構成すれば、客との商談が成立したときには、店員が紐状体を切断等してカード保持部材を取りはずしてから商品を包装して客に渡せば、客はカード保持部材のない商品を持って出口を出ることになるので、検知機は磁力線や電波を検知せず、警報を発することがないので、客に失礼なことをすることはない。
【００３２】
一方、商品が、カード保持部材が結び付けられた状態で持ち出されると、出口近傍の検知機がカード保持部材から発せられる磁力線や電波を検知して警報を発するので、万引き等の盗難を防止できるのである。
【発明の効果】
【００３３】
本発明は、前記構成を有し、プライスカードなどの商品情報カードを簡単且つ美麗に備え付けることができる新規な商品展示台である。
【００３４】
そして、本発明の商品展示台は、商品を直接又は間接的に載せるための「基台」及び商品情報カードを保持するための「カード保持部材」とで構成されてなり、特に、前記カード保持部材が、前記基台に対し着脱自在となるようにしているから、商品情報カードがカード保持部材により保護されて、折れ曲がりや破れが生じ難くなり、又、商品情報カードの取り付けが簡便且つ美麗になり、しかも、新たな商品情報カードへの付け替え作業も容易になるのである。
【発明を実施するための最良の形態】
【００３５】
以下、本発明の実施例を説明するが、本発明はこの実施例に限定されるものではない。
【実施例１】
【００３６】
図１（ａ）は、実施例１に係る本発明の商品展示台１を示す模式図であり、図２は、その六面図（（ａ）正面図、（ｂ）平面図、（ｃ）右側面図、（ｄ）背面図、（ｅ）底面図、（ｆ）左側面図）である。
【００３７】
この商品展示台１は、基台２及びカード保持部材３からなり、基台２にカード保持部材３を取り付けることにより、三角柱を横に倒したような一体感のある全体形状となるものである。
【００３８】
更に詳しくは、この商品展示台１における前記基台２は、商品（指輪）５を直接又は間接的に載せるためのものであり、図３の六面図（（ａ）正面図、（ｂ）平面図、（ｃ）右側面図、（ｄ）背面図、（ｅ）底面図、（ｆ）左側面図）に示すように、該基台２は、底面に開口部を有する中空体で、前記カード保持部材３が取り付けられる面に相対する面（背面）に、商品５を載せるための爪状部２１（２１ａ、２１ｂ）が設けられている。
【００３９】
一方、この商品展示台１における前記カード保持部材３は、商品情報カード４を保持するためのものであり、図４の六面図（（ａ）正面図、（ｂ）平面図、（ｃ）右側面図、（ｄ）背面図、（ｅ）底面図、（ｆ）左側面図）に示すように、該カード保持部材３は、正面視長方形のケースに窓穴を設けたものであり、その側面に商品情報カード４を挿入するための挿入口３１が設けられ、枠内に商品情報カード４を挿入・保持できるようになっている。
【００４０】
又、本実施例における商品展示台１においては、前記カード保持部材３が、前記基台２に対し着脱自在となるように、基台２に端面が長方形の雄部２２を設けると共にカード保持部材３に前記雄部２２に嵌合し得る雌部３２が設けられている。
【００４１】
そして、図１（ｂ）に示すように、本実施例における商品展示台１においては、商品５を、紐、糸、鎖、リボンなどの紐状体６を介してカード保持部材３に結び付けると共に商品情報カード４をカード保持部材３に保持し、次いで、基台２にカード保持部材３を取り付け、更に当該商品５を前記基台２に設けた爪状体２１に載せた状態で展示されるのが一般的である。
【００４２】
一方、図１（ｃ）に示すように、顧客が商品５を手にとって見たい場合においては、基台２からカード保持部材３を外すことにより、当該カード保持部材３と共に商品を手にとって眺めることができるのであり、見終わった後は、カード保持部材３を基台２の所定位置に戻すと共に商品５を基台２に載せるだけで、元通りの美麗な商品展示状態を復元することができるのである。
【００４３】
即ち、本実施例における商品展示台１においては、前記カード保持部材３が、商品情報カード４を保持しているから、前記カード保持部材３により商品情報カード４が保護されて、折れ曲がりや破れが生じ難くなるのである。
【００４４】
又、基台２へのカード保持部材３の取り付けにあたり、カード保持部材３に端面が長方形の雄部３２を設けると共に基台２に前記雄部３２に嵌合し得る雌部２２が設けているから、カード保持部材３を基台２の所定位置に戻すだけで、基台２にカード保持部材３を速やかに取り付けることができ、取り付けた際にカード保持部材３が常に適当な位置で略係止されるため、商品情報カード４を保持したカード保持部材の取り付けが簡便となり、しかも取り付け後の状態が美麗となるのである。
【００４５】
更に、前記カード保持部材３が、商品情報カード４を保持するための正面視長方形の枠体であり、その側面に商品情報カード４を挿入するための挿入口３１が設けられ、該挿入口３１から枠内に商品情報カード４を挿入するだけで、商品情報カード４を保持できるようになっているから、新たな商品情報カード４への付け替え作業も容易になるのである。
【実施例２】
【００４６】
図５（ａ）は、実施例２に係る本発明の商品展示台１の使用状態を示す模式図である。
【００４７】
この商品展示台１は、前記実施例１に係る本発明の商品展示台１に、商品（ピアス）５を載せるための介在部材７を取り付けたものであり（図５（ｂ）参照。）、その余は、前記実施例１で説明したものと同様であることから、繰り返しを避けるためにここでは、説明を省略する。
【実施例３】
【００４８】
図６は、実施例３に係る本発明の商品展示台１の使用状態を示す模式図である。
【００４９】
この商品展示台１は、この商品展示台１は、基台２及びカード保持部材３からなり、基台２にカード保持部材を取り付けることにより、なだらかな傾斜面２４を有する一体感のある全体形状が現れるものである。
【００５０】
前記基台２は、傾斜面２４に商品（ネックレス）５を載せるためのものであり、前記傾斜面の後端には商品５のチェーンを掛けるための切り欠き２５（２５ａ、２５ｂ）が設けられてなり、チェーンの余った部分は、基台２の背後に設けた穴（図示せず）に収納されるように構成されている。
【００５１】
一方、前記カード保持部材３は、商品情報カード４を保持するためのものであり、該カード保持部材３は、正面視長方形の枠体であり、その側面に商品情報カード４を挿入するための挿入口３１が設けられ、枠内に商品情報カード４を保持できるようになっている。
【００５２】
又、図示しないが、本実施例における商品展示台１においては、前記実施例１と同様に、前記カード保持部材３が、前記基台２に対し着脱自在となるように、基台２に端面が長方形の雄部２２を設けると共にカード保持部材３に前記雄部２２に嵌合し得る雌部３２が設けられている。
【００５３】
即ち、本実施例に係る商品展示台１は、基台２の形状が異なる以外は、前記実施例１と同様であり、繰り返しを避けるためにここでは説明を省略する。
【図面の簡単な説明】
【００５４】
【図１】図１は、実施例１に係る本発明の商品展示台及びその使用状態を示す模式図である。
【図２】図２は、実施例１に係る本発明の商品展示台を示す六面図である。
【図３】図３は、実施例１に係る本発明の商品展示台における基台を示す六面図である。
【図４】図４は、実施例１に係る本発明の商品展示台における基台を示す六面図である。
【図５】図５は、実施例２に係る本発明の商品展示台の使用状態を示す模式図である。
【図６】図６は、実施例３に係る本発明の商品展示台の使用状態を示す模式図である。
【符号の説明】
【００５５】
１  商品展示台
２  基台
３  カード保持部材
４  商品情報カード
５  商品
６  紐状体
７  介在部材
【図１】
2007007002.tif 000003
【図２】
2007007002.tif 000004
【図３】
2007007002.tif 000005
【図４】
2007007002.tif 000006
【図５】
2007007002.tif 000007
【図６】
2007007002.tif 000008